(57)【要約】      （修正有）【課題】多孔質のセラミックスと通常の焼物とが焼結により結合された複合セラミックス構造体及びその製造方法、又、その構造体から成る新規な複合植木鉢、複合タイル等の製品の提供。【解決手段】焼物体と多孔質のセラミックス体とが焼結により結合された複合セラミックス構造体、焼物体と多孔質のコンクリート体とが接合された複合セラミックス構造体。素焼体又は焼物用成形素地体を準備し、発泡剤や焼失性粒子や焼失性多孔質体を含有した素地体を準備し、素焼体又は焼物用成形素地体と、素地体とを添接状態にし、焼成する複合セラミックス構造体の製造方法。更に、筒状の素焼体又は焼物用成形素地体の中空部に、素地体を挿填し、焼成して得た柱状体を自身の長手方向と平行な切断面で切断する複合セラミックス構造体の製造方法。複合セラミックス構造体の製造方法で得た筒状の素焼体又は焼物用成形素地体の外面に溝が形成された複合タイル。【選択図】  図３
2005001976.tif 000002
【特許請求の範囲】
【請求項１】
焼物体と多孔質のセラミックス体とが焼結により結合されて成る複合セラミックス構造体。
【請求項２】
焼物体と多孔質のコンクリート体とが該多孔質のコンクリート体の前駆体の硬化により接合されて成る複合セラミックス構造体。
【請求項３】
素焼体又は焼物用成形素地体を準備する工程と、
発泡剤、焼失性粒子、又は、焼失性多孔質体を含有させた素地体を準備する工程と、
該素焼体又は該焼物用成形素地体と、該素地体とを添接状態にする添接工程と、
添接された該素地体とともに該素焼体又は該焼物用成形素地体を焼成する工程と
を含む複合セラミックス構造体の製造方法。
【請求項４】
焼物体と多孔質コンクリートの前駆体スラリーとを準備する工程と、
該焼物体と、該前駆体スラリーとを添接させる添接工程と、
添接された該前駆体スラリーを硬化させる工程と
を含む複合セラミックス構造体の製造方法。
【請求項５】
１の、塊状の多孔質のセラミックス体、塊状の多孔質コンクリート体又は塊状の多孔質樹脂体から選択される多孔質体と、該多孔質体が充填された鉢状の焼物体から成る容器とを含んで成る複合植木鉢。
【請求項６】
１の、塊状の多孔質のセラミックス体、塊状の多孔質コンクリート体又は塊状の多孔質樹脂体から選択される多孔質体と、該多孔質体の表面に塗布された塗布膜とから成る複合植木鉢。
【請求項７】
請求項１に記載の複合セラミックス構造体から成り、前記焼物体及び前記多孔質のセラミックス体が板状であり、該多孔質のセラミックス体が表側に配され前記焼物体と重畳された複合タイル。
【請求項８】
請求項２に記載の複合セラミックス構造体から成り、前記焼物体及び前記多孔質のコンクリート体が板状であり、該多孔質のコンクリート体が表側に配され前記焼物体と重畳された複合タイル。
【請求項９】
前記素焼体又は前記焼物用成形素地体が鉢状であり、
前記添接工程が、前記素焼体又は前記焼物用成形素地体に前記素地体を挿填する工程である、請求項３に記載の複合セラミックス構造体の製造方法を用いた複合植木鉢の製造方法。
【請求項１０】
焼物から成る鉢と多孔質コンクリートの前駆体スラリーとを準備する工程と、
該前駆体スラリーを該鉢に充填する工程と、
充填された該前駆体スラリーを硬化させる工程と
を含む複合植木鉢の製造方法。
【請求項１１】
前記素焼体又は前記焼物用成形素地体、及び前記素地体が板状であり、
前記添接工程が、前記素焼体又は前記焼物用成形素地体に前記素地体を重畳する工程である、請求項３に記載の複合セラミックス構造体の製造方法を用いた複合タイルの製造方法。
【請求項１２】
筒状の素焼体又は焼物用成形素地体の中空部に、発泡剤、焼失性粒子、又は焼失性多孔質体を含有させた素地体を挿填し、次いで、前記素焼体又は前記焼物用成形素地体を焼成して柱状体となし、該柱状体を自身の長手方向と平行な切断面あるいは破断面で切断あるいは破断する工程を含む複合セラミックス構造体の製造方法。
【請求項１３】
請求項１２に記載の複合セラミックス構造体の製造方法で得られ、施工面に着脱自在に装着される係合部を備える複合タイル。
【請求項１４】
建造物の屋上に列配された複数の請求項５又は６に記載の複合植木鉢と、前記多孔質体の上面に植生された植物とを含んで成る屋上断熱構造。
【請求項１５】
前記植物がセダム又は苔である請求項１４に記載の屋上断熱構造。
【請求項１６】
建造物の壁面に列配された複数の請求項７、８、１３、１４のいずれかに記載の複合タイルと、前記複合タイルの表面に育生された植物とを含んで成る壁面構造。
【請求項１７】
前記植物がセダム、苔又は蔦類である請求項１６記載の壁面構造。
【請求項１８】
請求項１６又は１７に記載の壁面構造を含み、前記列配された複数の複合タイルの最上段の複合タイルの更に上段に、前記列配された複数の複合タイルに給水する給水手段を備える壁面構造。
【請求項１９】
前記給水手段が、
前記最上段の複合タイルの上方に水平に張られて位置する給水パイプと、
前記最上段の複合タイルの上方に位置し、施工面に着脱自在に装着される係止部とを備え、表面側に前記給水パイプを位置させる受けタイルと、
該受けタイルの上方に位置し、前記給水パイプを覆い、前記給水パイプを覆う蓋部と施工面に着脱自在に装着される係着部とを有する蓋タイルと
を備える請求項１８に記載の給水手段付き壁面構造。
【請求項２０】
前記複合タイルの係合部と、前記受けタイルの係止部と、前記蓋タイルの係着部とが略同一の形状を有する請求項１９に記載の給水手段付き壁面構造。
【請求項２１】
請求項１に記載の複合セラミックス構造体から成り、前記焼物体及び前記多孔質のセラミックス体が板状であり、該多孔質のセラミックス体が表側に配され前記焼物体と重畳された植生用基盤。
【請求項２２】
請求項２に記載の複合セラミックス構造体から成り、前記焼物体及び前記多孔質のコンクリート体が板状であり、該多孔質のコンクリート体が表側に配され前記焼物体と重畳された植生用基盤。
【請求項２３】
請求項２１又は２２に記載の植生用基盤の表面に植物が植生された植物セラミックス体複合物。
【請求項２４】
前記植物がセダム又は苔である請求項２３に記載の植物セラミックス体複合物。
【発明の詳細な説明】
【技術分野】
【０００１】
本発明は多孔質のセラミックスを構成要素のひとつとする複合セラミックス構造体及びその製造方法に関する。
【背景技術】
【０００２】
多孔質のセラミックス及びその製造方法については幾多の事例が知られている。しかし、多孔質のセラミックスと通常の焼物とが焼結により結合された複合セラミックス構造体及びそのその製造方法、あるいはその複合セラミックス構造体から成る製品は未知である。
【０００３】
一方、植木鉢に多孔質のセラミックスを利用することが、試みられ、鉢壁を多孔質のセラミックスとして、蘭の栽培に使用することが開示されている（例えば、特許文献１参照。）。又、中底で上下に仕切られた鉢の上部に多孔質セラミックス粒体を充填し、下部に水を貯留し、上下部を多孔質セラミックス棒で貫く構成が開示されている（例えば、特許文献２参照。）。
【０００４】
前者は鉢壁に通常の植物栽培からみると過剰ともいえる通気性が要求される特殊かつ膨大な手間のかかる蘭の栽培に適用されるもので、通常の植物栽培には適さない。又、製造方法も複雑になる。後者は、多孔質セラミックス粒体を鉢に充填するものであり、家庭等で小規模に用いる場合は比較的問題ないが、ビルの屋上等で鉢を多数ならべて植物を育成するなど、大規模の使用にあたっては、多孔質セラミックス粒体の充填作業に手間がかかり、又、植物の根元がグラグラするおそれもある。更に、鉢が倒れると多孔質セラミックス粒体がこぼれ出し、修復に手間がかかる。予め鉢に多孔質セラミックス粒体を充填しておいて施工現場へ運搬しようとすると、運搬途中に鉢が傾いたり倒れると多孔質セラミックス粒体がこぼれ出すおそれもある。又、後者の事例に限らず鉢の下部に水を貯留する植木鉢の構成は、特に屋外で使用する態様に適用すると、ボウフラやレジオネラ菌の発生源となったり、水の周辺に苔が繁殖する等の問題がある。
【０００５】
【特許文献１】特開２０００−２７０６８０号公報（第１頁、第１、２図）
【特許文献２】実開平３−１０７４３号公報（実用新案登録請求の範囲、第１図）
【発明の開示】
【発明が解決しようとする課題】
【０００６】
本発明は、これら問題点に鑑み、多孔質のセラミックスと通常の焼物とが焼結により結合された複合セラミックス構造体及びそのその製造方法を提供しようとする。又、の複合セラミックス構造体から成る新規な複合植木鉢や複合タイル等の製品を提供しようとする。
【課題を解決するための手段】
【０００７】
本発明の要旨とするところは、焼物体と多孔質のセラミックス体とが焼結により結合されて成る複合セラミックス構造体であることにある。
【０００８】
又、本発明の要旨とするところは、焼物体と多孔質のコンクリート体とが該多孔質のコンクリート体の前駆体の硬化により接合されて成る複合セラミックス構造体であることにある。
【０００９】
更に、本発明の要旨とするところは、素焼体又は焼物用成形素地体を準備する工程と、
発泡剤、焼失性粒子、又は、焼失性多孔質体を含有させた素地体を準備する工程と、
該素焼体又は該焼物用成形素地体と、該素地体とを添接状態にする添接工程と、
添接された該素地体とともに該素焼体又は該焼物用成形素地体を焼成する工程と
を含む複合セラミックス構造体の製造方法であることにある。
【００１０】
又、更に、本発明の要旨とするところは、焼物体と多孔質コンクリートの前駆体スラリーとを準備する工程と、
該焼物体と、該前駆体スラリーとを添接させる添接工程と、
添接された該前駆体スラリーを硬化させる工程と
を含む複合セラミックス構造体の製造方法であることにある。
【００１１】
更に又、本発明の要旨とするところは、１の、塊状の多孔質のセラミックス体、塊状の多孔質コンクリート体又は塊状の多孔質樹脂体から選択される多孔質体と、該多孔質体が充填された鉢状の焼物体から成る容器とを含んで成る複合植木鉢。
【００１２】
又、本発明の要旨とするところは、１の、塊状の多孔質のセラミックス体、塊状の多孔質コンクリート体又は塊状の多孔質樹脂体から選択される多孔質体と、該多孔質体の表面に塗布された塗布膜とから成る複合植木鉢であることにある。
【００１３】
又更に、本発明の要旨とするところは、前記複合セラミックス構造体から成り、前記焼物体及び前記多孔質のセラミックス体が板状であり、該多孔質のセラミックス体が表側に配され前記焼物体と重畳された複合タイルであることにある。
【００１４】
又、本発明の要旨とするところは、前記複合セラミックス構造体から成り、前記焼物体及び前記多孔質のコンクリート体が板状であり、該多孔質のコンクリート体が表側に配され前記焼物体と重畳された複合タイルであることにある。
【００１５】
更に又、本発明の要旨とするところは、前記素焼体又は前記焼物用成形素地体が鉢状であり、
前記添接工程が、前記素焼体又は前記焼物用成形素地体に前記素地体を挿填する工程である、前記複合セラミックス構造体の製造方法を用いた複合植木鉢の製造方法であることにある。
【００１６】
又、本発明の要旨とするところは、焼物から成る鉢と多孔質コンクリートの前駆体スラリーとを準備する工程と、
該前駆体スラリーを該鉢に充填する工程と、
充填された該前駆体スラリーを硬化させる工程と
を含む複合植木鉢の製造方法であることにある。
【００１７】
更に、本発明の要旨とするところは、前記素焼体又は前記焼物用成形素地体、及び前記素地体が板状であり、
前記添接工程が、前記素焼体又は前記焼物用成形素地体に前記素地体を重畳する工程である、前記複合セラミックス構造体の製造方法を用いた複合タイルの製造方法であることにある。
【００１８】
又、本発明の要旨とするところは、筒状の素焼体又は焼物用成形素地体の中空部に、発泡剤、焼失性粒子、又は焼失性多孔質体を含有させた素地体を挿填し、次いで、前記素焼体又は前記焼物用成形素地体を焼成して柱状体となし、該柱状体を自身の長手方向と平行な切断面あるいは破断面で切断あるいは破断する工程を含む複合セラミックス構造体の製造方法であることにある。
【００１９】
更に、本発明の要旨とするところは、前記複合セラミックス構造体の製造方法で得られ、施工面に着脱自在に装着される係合部を備える複合タイルであることにある。
【００２０】
又更に、本発明の要旨とするところは、建造物の屋上に列配された複数の請求項５又は６に記載の複合植木鉢と、前記多孔質体の上面に植生された植物とを含んで成る屋上断熱構造であることにある。
【００２１】
前記屋上断熱構造においては、前記植物がセダム又は苔であり得る。
【００２２】
又、本発明の要旨とするところは、建造物の壁面に列配された複数の前記複合タイルと、前記複合タイルの表面に育生された植物とを含んで成る壁面構造であることにある。
【００２３】
前記壁面構造においては、前記植物がセダム、苔又は蔦類であり得る。
【００２４】
更に又、本発明の要旨とするところは、前記壁面構造を含み、前記列配された複数の複合タイルの最上段の複合タイルの更に上段に、前記列配された複数の複合タイルに給水する給水手段を備える給水手段付き壁面構造であることにある。
【００２５】
前記給水手段付き壁面構造においては、前記前記給水手段が、
前記最上段の複合タイルの上方に水平に張られて位置する給水パイプと、
前記最上段の複合タイルの上方に位置し、施工面に着脱自在に装着される係止部とを備え、表面側に前記給水パイプを位置させる受けタイルと、
該受けタイルの上方に位置し、前記給水パイプを覆い、前記給水パイプを覆う蓋部と施工面に着脱自在に装着される係着部とを有する蓋タイルと
を備え得る。
【００２６】
前記給水手段付き壁面構造においては、前記複合タイルの係合部と、前記受けタイルの係止部と、前記蓋タイルの係着部とが略同一の形状を有し得る。
【００２７】
又、本発明の要旨とするところは、前記複合セラミックス構造体から成り、前記焼物体及び前記多孔質のセラミックス体が板状であり、該多孔質のセラミックス体が表側に配され前記焼物体と重畳された植生用基盤であることにある。
【００２８】
更に又、本発明の要旨とするところは、前記複合セラミックス構造体から成り、前記焼物体及び前記多孔質のコンクリート体が板状であり、該多孔質のコンクリート体が表側に配され前記焼物体と重畳された植生用基盤であることにある。
【００２９】
又、本発明の要旨とするところは、前記植生用基盤の表面に植物が植生された植物セラミックス体複合物であることにある。
【００３０】
前記植物セラミックス体複合物においては、前記植物がセダム又は苔であり得る。
【発明の効果】
【００３１】
本発明の複合セラミックス構造体は焼物体と多孔質のセラミックス体が互いの境界で焼結により強固に結合して成るので互いの境界で剥離することがなく、安定した構造となっている。
【００３２】
本発明の複合植木鉢は、土を使用していないので、土が据付時や使用時に人や物体が触れて飛散したり、風雨に混じって流れたり飛散したりたりして周囲を汚すことがない。又、建造物の屋上に隙間なくならべて配置することにより、屋上の床面から、飛来の種による植物が育つことを予防出来る。
【００３３】
又、本発明の複合植木鉢は建造物の屋上に設置してヒートアイランド現象の防止に有用である。本発明の複合植木鉢は屋上に運んで載置するだけで設置でき、土を入れる必要がなくそのまま使用出来るので、設置の作業が大幅に簡略化される。更に、軽量なので、屋上での配置の変更に対応して、配置の変更作業が容易である。又、維持管理の手間がほとんどかからず、ボウフラやレジオネラ菌の発生のおそれが少ない。
【００３４】
本発明の複合植木鉢は、これらの効果に加えて、外壁部が焼き物で構成されているので従来の植木鉢と同様の外観や外形とすることが容易に出来る。即ち、製造の過程で上絵や模様を焼き付けることや、各種の陶土を選択して特殊な地合いとしたり、表面に陶器に特有の凹凸を付与したりすることが出来る。又壷形状や四角筒形状等の外形状を容易につくることが出来る。
【００３５】
更に、本発明の複合植木鉢は、土が据付時や使用時に人や物体が触れて飛散したり、風雨に混じって流れたり飛散したりたりして周囲を汚すことがなく、軽量で配置換えに過大な労力を要せず、外観を周囲の自然にマッチした形状や自然の色彩にデザインすることができるので植物を植えてビオトープの形成のための有力な構造要素として用いることが出来る。
【００３６】
本発明の複合タイルは建造物の外壁に使用されて良好な断熱性を有する。又、保水性があり、かつ、植物の根を保持するのに適した立体的な網目構造を有するので、セダムや苔をはじめとする植物を植生（育生）したり蔦等の蔓性植物をはわせて育成するのに好適である。又、焼物体と多孔質のセラミックス体とが焼結により強固に結合されているので、建造物の外壁面に長期に使用されても、両者が剥離することがない。
【００３７】
本発明の複合タイルは建造物の外壁に着脱自在に装着することが出来るので、部分的な交換が可能である。これにより、植生された植物が枯れたり損傷した場合、その枯れたり損傷した部分の複合タイルを容易に交換できる。又、植生された植物が均一に生育するように、日当たり等を考慮して、装着する位置を定期的に移動させることも出来る。
【発明を実施するための最良の形態】
【００３８】
本発明に係る態様を説明する。本発明においては、陶磁器等の焼物の前駆体である素焼体と、陶磁器等の焼物の原料である坏土が用いられる。坏土はそのまま成形して焼成すると素焼物となるが、本発明においては、焼成するまえに坏土にＳｉＣのような発泡剤が混合される。ＳｉＣは、坏土の乾燥重量に対して１〜１０重量％混入されることが好ましい。
【００３９】
次いで、発泡剤が混合されて含有された坏土を、目的の形状に成形し、図１のように素焼体２と成形された坏土から成る素地体４とを添接面６で添接させ、複合前駆体１０と成す。複合前駆体１０を本焼き焼成すると、図２に示すような複合セラミックス構造体１２が得られる。複合セラミックス構造体１２は、素焼体２が焼成されて成る焼物体１８と、素地体４が焼成されて成る多孔質のセラミックス体１６とから成り、かつ互いの境界１７がこの焼結により強固に結合されているので境界１７で剥離することがなく、安定した構造となっている。
【００４０】
本発明の他の態様においては、焼成するまえに坏土に粒子状のフェノール樹脂のような樹脂から成る焼失性粒子が混合される。次いで、焼失性粒子が混合されて含有された坏土を、目的の形状に成形し、図１のように素焼体２と成形された坏土から成る素地体４ａとを添接面６で添接させ、複合前駆体１０ａと成す。複合前駆体１０ａを本焼き焼成すると、図２に示すような複合セラミックス構造体１２ａが得られる。複合セラミックス構造体１２ａは、素焼体２が本焼き焼成されて成る通常の焼物から成る焼物体１８と、素地体４ａが本焼き焼成されてこの焼成により焼失性粒子体が焼失した多孔質のセラミックス体１６ａから成り、かつ互いの境界１７でこの焼成で焼結により結合されて成る。この複合セラミックス構造体１２ａも焼物体１８と多孔質のセラミックス体１６ａが互いの境界１７で焼結により強固に結合して成るので境界１７で剥離することがなく、安定した構造となっている。
【００４１】
焼失性粒子の素材は、樹脂であることが好ましい。樹脂は天然樹脂であってもよい。合成樹脂であってもよい。焼成されるときガスを発生する樹脂であることが好ましい。焼失性粒子がガスを内包していてもよい。焼失性粒子の素材は、炭素であってもよい。焼失性粒子は坏土の容積に対して５〜５０容量％混入されることが好ましい。
【００４２】
本発明の更に他の態様においては、ウレタンフォームのような焼失性多孔質体を用いる。坏土を泥漿化して焼失性多孔質体に含浸させて坏土と焼失性多孔質体との複合素地体４ｂと成す。泥漿の付着量は例えば１ｃｍ×１ｃｍ×１ｃｍの焼失性多孔質体に対して０．２〜０．４ｇ程度が望ましい。図１のように素焼体２と複合素地体４ｂとを添接面６で添接させ、複合前駆体１０ｂと成す。複合前駆体１０ｂを本焼き焼成すると、図２に示すような複合セラミックス構造体１２ｂが得られる。複合セラミックス構造体１２ｂは、通常の焼物から成る焼物体１８と、本焼き焼成により焼失性多孔質体が焼失した多孔質のセラミックス体１６ｂが互いの境界１７でこの焼成による焼結により結合して成る。この複合セラミックス構造体１２ｂも焼物体１８と多孔質のセラミックス体１６ｂが互いの境界でこの焼結により強固に結合して成るので境界１７で剥離することがなく、安定した構造となっている。
【００４３】
このような諸態様で得られるセラミック構造体１２、１２ａ、１２ｂは、新規な構成の植木鉢やタイルに好適に適用することが出来る。
【００４４】
本発明のセラミック構造体１２、１２ａ、１２ｂを植木鉢に適用した態様を説明する。図３に示すように、本発明の複合植木鉢３０は、鉢状の焼物体３２の内底部を含む内側空間の大部分が多孔質のセラミックス体１６ｄで満たされている。多孔質のセラミックス体１６ｄは１の塊となっている。焼物体３２と多孔質のセラミックス体１６ｄとは、焼物体３２の内壁面の多孔質のセラミックス体１６ｄとの境界面３４で焼結により結合されている。
【００４５】
このような構成の複合植木鉢３０は、空の焼物体３２もしくは空の素焼の焼物体３２の中に、前述の発泡剤が混合されて含有された坏土や、焼失性粒子が混合されて含有された坏土を充填し、次いでこのように充填された坏土とともに焼物体３２を焼成して得ることが出来る。あるいは、前述の焼失性多孔質体を用い、焼物体３２の内壁面の形状と焼失性多孔質体の外面の形状が合致するように焼失性多孔質体を成形し、その成形された焼失性多孔質体に坏土を泥漿化して含浸させて坏土と焼失性多孔質体との複合素地体と成し、その複合素地体を焼物体３２に挿入して、このように挿入された複合素地体とともに焼物体３２を焼成して複合植木鉢３０を得ることが出来る。
【００４６】
この態様においては、焼物体３２のかわりに、これらとほぼ同じ形状の成形された坏土が用いられてもよい。即ち、鉢状に成形された坏土の中に、焼成により発泡する坏土や複合素地体を挿入して、このように挿入された坏土や複合素地体とともに成形された坏土を焼成して複合植木鉢３０を得ることが出来る。
【００４７】
このようにして得られた複合植木鉢３０は、多孔質のセラミックス体１６ｄの部分に植物を植生（育生）させる。複合植木鉢３０に植生する植物としては、セダム（ベンケイソウ科のマンネングサ属の総称）のような乾燥に強く背丈の低い植物が好ましい。あるいは、スナゴケ、ハイゴケ等の苔であることが背丈が低くかつ多孔質のセラミックス体１６ｄの表面での成長に適した植物であり好ましい。多孔質のセラミックス体１６ｄの部分に植木を根付かせる方法としては、予め多孔質のセラミックス体１６ｄに液肥あるいは水を含浸させた後、図４（ａ）に示すように、苗４３を多孔質のセラミックス体１６ｄの上面に載置して根付かせるのがよい。この態様は、セダムやスナゴケ、ハイゴケ等の苔に好適に適用される。
【００４８】
多孔質のセラミックス体１６ｄの部分に植物を根付かせる他の方法の一例としては、図４（ｂ）に示すように、苗４０ａの根を水苔で包んで、この水苔で包まれた根の部分４２を、多孔質のセラミックス体１６ｄの上面部分に設けた凹陥部４４に嵌入して苗４０ａを多孔質のセラミックス体１６ｄの上面に立設する。
【００４９】
複合植木鉢３０には、図５に示すように、多孔質のセラミックス体１６ｄの上面から下方に向けて複数の細孔４６が形成されていてもよい。これにより、植生された植木のたて根の成長が促進され、植木が多孔質のセラミックス体１６ｄに確実に固定されることとなる。
【００５０】
本発明の他の態様においては、図６に示す複合植木鉢３０ｂのように多孔質のセラミックス体１６ｄの表面が、上面を除いて塗膜８０でコーティングされていてもよい。塗膜８０により、多孔質のセラミックス体１６ｄに含有された水が外部に漏洩することが防止されるので、複合植木鉢３０ｂは保水性が維持される。塗膜８０としては通常のペンキによる樹脂塗膜が挙げられる。あるいは、釉薬による釉の膜であってもよい。図６に示す態様においては、多孔質のセラミックス体１６ｄにかえて発泡樹脂体が用いられてもよいが、この場合は、不要になった複合植木鉢３０ｂが廃棄されると多孔質のセラミックス体１６ｄのように砕くなどして大地に還元できないので環境汚染の問題を生ずる。多孔質のセラミックス体１６ｄにかえて発泡コンクリート体が用いられてもよいが、この場合は、アルカリ性が強いので植生すべき植物の種類が制限される。なお、釉の膜は複合植木鉢３０ｂが廃棄されたときの環境負荷がほとんどなく好ましいが、発泡樹脂や発泡コンクリート体には適用できない。
【００５１】
本発明の複合植木鉢は、特にビル等の建造物の屋上緑化のために好適に用いることが出来る。図７の上面図に示すように、四角形状の本発明の複合植木鉢３０ａを建造物の屋上３１にならべて屋上断熱構造８８として配置することにより、多孔質のセラミックス体１６ｆの断熱効果、及び複合植木鉢３０ａに植えられた不図示のセダム等の植物の太陽熱遮蔽効果、植物の葉による水分蒸散効果、多孔質のセラミックス体１６ｆからの水分の蒸散効果が発揮され、建造物の断熱と冷却に寄与する。セダムは、多孔質のセラミックス体１６ｆへの根付きもよく、水遣りを頻繁にしなくとも育成可能であり、屋上断熱構造８８に適した植物である。あるいは、スナゴケ、ハイゴケ等の苔が背丈が低くかつ多孔質のセラミックス体１６ｆの表面での成長に適した植物であり好ましい。
【００５２】
このように用いられる本発明の複合植木鉢３０ａは、土を使用していないので、土が据付時や使用時に人や物体が触れて飛散したり、風雨に混じって流れたり飛散したりたりして周囲を汚すことがない。又、建造物の屋上に隙間なくならべて配置することにより、屋上の床面から、飛来の種による植物が育つことを予防出来る。
【００５３】
更に、本発明の複合植木鉢３０ａは、土が据付時や使用時に人や物体が触れて飛散したり、風雨に混じって流れたり飛散したりたりして周囲を汚すことがなく、軽量で配置換えに過大な労力を要せず、外観を周囲の自然にマッチした形状や自然の色彩にデザインすることができるので植物を植えてビオトープの形成のための有力な構造要素として用いることが出来る。
【００５４】
多孔質のセラミックス体は容器に収められており水を多量に含有して保持することができるので、本発明の複合植木鉢３０ａは頻繁な水遣りを必要とせず、保守が容易である。
【００５５】
更に、従来の植木鉢では、中に入れる土や粒体を別途高層ビルの屋上等の設置場所に運ばねばならず、又、屋上でその土や粒体を植木鉢にいちいち計量して入れる作業が必要であるが、本発明の複合植木鉢３０は、屋上に運んで載置するだけで設置出来、そのまま使用出来るので、設置の作業が大幅に簡略化される。
【００５６】
更に、複合植木鉢３０ａは、軽量なので、屋上での配置の変更に対応して、配置の変更作業が容易である。
【００５７】
本発明においては、複合植木鉢（３０、３０ａ）の鉢状の焼物体３２に収められている多孔質のセラミックス体１６ｄは、予め焼物体３２に収められるべき形状に別途焼成された１の塊状多孔質のセラミックス体であってもよい。即ち、予め焼物体３２に収められるべき形状に、１の塊状多孔質のセラミックス体を別途焼成した後、鉢状の焼物体３２に収めてもよい。この場合は、植生すべき植物の種類に応じて塊状多孔質のセラミックス体の選択や交換が可能となる。
【００５８】
本発明においては、複合植木鉢（３０、３０ａ）の鉢状の焼物体３２に収められている多孔質のセラミックス体１６ｄは、予め焼物体３２に収められるべき形状に別途焼成された１の塊状多孔質のコンクリートであってもよい。即ち、予め焼物体３２に収められるべき形状に、１の塊状多孔質のコンクリート体を別途成形した後、鉢状の焼物体３２に収めてもよい。あるいは、焼物体３２に発泡コンクリートの前駆体を注いで硬化させてもよい。
【００５９】
多孔質のセラミックス体１６ｄに替えて、多孔質のコンクリートが用いられた複合植木鉢は、多孔質のコンクリートが収められる焼物体として素焼のものを用いれば、外部に対して素焼独特の適度の透水性をもたせることが出来る。又、焼物体として上絵付けされた鉢を用いれば、豪華な外観を有する複合植木鉢とすることが出来る。
【００６０】
多孔質のコンクリートは、セメントと、スラグ微粉や、フライアッシュや、砂利や、発泡ガラスや、短繊維のような微小骨材と、アルミニウム金属粉末等の発泡剤とを含む前駆体スラリーを発泡とともに硬化させて得ることが出来る。あるいは、セメントと、微小骨材と、多数の気泡とを含む前駆体スラリーを硬化させて得ることが出来る。微小骨材としては、天然軽量骨材（例えば、大島火山礫、榛名火山礫等）、人工軽量骨材（例えば、メサライト、アサノライト等）、或はパーライトなども挙げられる。セメント１００重量部に対して、微小骨材７０〜１５０重量部が混和されることが好ましい。気泡はスラリーに対して１５〜３０容積％混和されることが好ましい。
【００６１】
焼物体３２にこのような前駆体スラリーを充填して硬化させることにより、複合植木鉢を得ることが出来る。この複合植木鉢は、焼物体と多孔質のコンクリート体とがスラリーの硬化により接合されて成る複合セラミックス構造体である。スラリーは焼物体の表面の微細な凹凸の窪みにはいり込んで硬化するので焼物体と多孔質のコンクリート体とが強固に接合する。
【００６２】
又、本発明においては、前述のように焼物体３２に収められている多孔質のコンクリート体は、予め焼物体３２に収められるべき形状に別途焼成された１の塊状多孔質のコンクリート体であってもよい。即ち、予め焼物体３２に収められるべき形状に、１の塊状多孔質のコンクリート体を別途成形硬化した後、鉢状の焼物体３２に収めてもよい。この場合は、植生すべき植物の種類に応じて塊状多孔質のコンクリート体の選択や交換が可能となる。
【００６３】
更に、本発明においては、焼物体３２に、予め焼物体３２に収められるべき形状に別途焼成された１の塊状の発泡樹脂体であってもよい。発泡樹脂体としては、ウレタンスポンジのように連通孔を有するものであることが必要である。植生すべき植物の種類に応じて発泡樹脂体のコンクリート体の選択や交換が可能となる。
【００６４】
本発明のセラミック構造体１２、１２ａ、１２ｂをタイルに適用した態様を説明する。図８に示すように、本発明の複合タイル５０は、板状の焼物体１８ｇと、板状の多孔質のセラミックス体１６ｇから成り、多孔質のセラミックス体１６ｇが複合タイル５０の表側に配され焼物体１８ｇと重畳されている。
【００６５】
複合タイルは建造物の外壁に使用されて良好な断熱性を有するとともに、保水性があり、かつ多孔性の表面を有するので、植物を植え付けて繁茂させたり、蔦等の付着根を有する蔓性植物をはわせてその付着根の着生させて植物を介して繁茂させるのに好適である。多孔性の表面は、付着根の着生に適している。又、焼物体１８ｇと多孔質のセラミックス体１６ｇとは焼結により強固に結合されているので、建造物の外壁面に長期に使用されても、両者が剥離することはない。複合タイル５０は多孔質のセラミックス体１６ｇを施工面の外側にして使用されるが、焼物体１８ｇを施工面の外側にして使用してもよい。この場合、更に、良好な施工壁の断熱性が得られ、又、施工面との接着に際して、この接着に用いられるモルタル等の接着剤が多孔質のセラミックス体１６ｇの表面の凹凸にくいこんで強固な接着がなされる。
【００６６】
又、本発明の複合タイルにおいては、多孔質のセラミックス体１６ｇに替えて、多孔質のコンクリートが用いられてもよい。
【００６７】
多孔質のコンクリートは、セメントと、スラグ微粉や、フライアッシュや、砂利や、発泡ガラスや、発泡樹脂片のような微小骨材と、アルミニウム金属粉末等の発泡剤とを含む前駆体スラリーを発泡とともに硬化させて得ることが出来る。あるいは、セメントと、微小骨材と、多数の気泡とを含む前駆体スラリーを硬化させて得ることが出来る。微小骨材としては、天然軽量骨材（例えば、大島火山礫、榛名火山礫等）、人工軽量骨材（例えば、メサライト、アサノライト等）、或はパーライトなども挙げられる。セメント１００重量部に対して、微小骨材７０〜１５０重量部が混和されることが好ましい。気泡はスラリーに対して１５〜９０容積％混和されることが好ましい。
【００６８】
焼物体１８ｇに、このような前駆体スラリーを周囲を形枠で囲って載置して硬化させることにより、複合タイルを得ることが出来る。
【００６９】
本発明においては、複合セラミックス構造体を図９に示す態様で製造してもよい。図９において、筒状の素焼の焼物体２０の中空部に、前述の、発泡剤が混合されて含有された坏土２２から成る素地体、又は、焼失性粒子が混合されて含有された坏土から成る素地体又は、坏土を泥漿化して焼失性多孔質体に含浸させてなる素地体（複合素地体）を挿填し、この挿填された素地体２２とともに筒状の素焼の焼物体２０を焼成して、柱状の焼物体（柱状体）２４を得る。焼物体２４の内部は、多孔質セラミックス２５で満たされている。次いで、この柱状の焼物体２４を切断面（あるいは破断面）２９に沿って切断あるいは破断し、長手方向に切り分けて複合セラミックス構造体２８を得る。複合セラミックス構造体２８は切断面（あるいは破断面）２９を表面として複合タイル３３として使用できる。この方法により、焼物体２０のサイズや外表面の形状をかえて各種の用途に使用される複合セラミックス構造体が得られる。例えば、４０ｃｍ角厚さ５ｃｍの板状のものは、ビルの屋上に敷詰めて断熱材と植生用の床とを兼用させて使用できる。なお、焼物体２４を破断面に沿って破断する操作は石材をたがね等の治具を用いて割って破断する操作に準じて行なうことが出来る。
【００７０】
この態様は、発泡剤が混合されて含有された素地体２２を用いた場合、発泡時に素地体２２が焼物体２０の中空部で体積が増してゆく過程で、素地体２２が焼物体２０の中空部に充満し、焼物体２０の内壁面に自らを押し当てることになる。これにより、焼物体２０の内壁面と多孔質セラミックス２５との境界に隙間のない、多孔質セラミックス２５の完全な充満が実現される。
【００７１】
複合タイル３３は、切断面（あるいは破断面）２９を施工面に接合される裏面として使用してもよい。切断面（あるいは破断面）２９の表面には切断により生じた微細で縁が鋭利な凹凸が網目状に多数形成されているので、モルタル等の接着材との接合力に優れ好ましい。又、このようにして施工された施工壁は、断熱性に優れる。
【００７２】
焼物体２４は、図１０に示すように、長手方向に沿って図面視縦方向と斜めの切断面（あるいは破断面）で切断あるいは破断されてもよい。この場合は、施工面の方向と斜向する表面２９ｓを有する複合タイル３３ｓ（複合セラミックス構造体２８ｓ）が得られる。複合タイル３３ｓを用いて施工された施工壁面は、変化に富んだ凹凸が得られ美的価値に優れる。
【００７３】
複合タイル３３ｓによる施工壁面の態様の例を断面模式図（図１１）に示す。図１１（ａ）は、表面２９ｓが上向きになるように配置された壁面構造９０であり、図１１（ｂ）は、表面２９ｓの向きが施工壁８４の面の上下方向に対して交互に上向き下向きになるように配置された壁面構造９０ａである。表面２９ｓが上向きになるように配置された複合タイル３３ｓは、表面２９ｓが降ってきた雨を有効に受け止めることになるので、雨水が多孔質セラミックス２５に多量に保持される。保持された雨水はある保持時間を経過し、余剰の雨水が表面２９ｓから溢出する。溢出する雨水の一部または全部が複合タイル３３ｓの下面３７又は下縁を伝わって下方の複合タイル３３ｓｓに達し、下方の複合タイル３３ｓｓの多孔質セラミックス２５に吸収される。このような水の流れと滞留が、複合タイル３３ｓ、複合タイル３３ｓｓに植生（育生）された不図示の植物の育成によい効果を与える。
【００７４】
筒状の焼物体としては、図１２に示すように、外面にあり溝５６が形成された焼物体２０ａであってもよい。あり溝５６は、複合タイル２８ａの裏面に相当する面に形成される。あり溝５６は、建造物の外壁面に設けられた突条のありに係合する係合部８２となっており、これにより、複合タイル２８ａと建造物の外壁面とがあり継ぎにより着脱自在に係合されて、複合タイル２８ａが建造物の外壁面に着脱自在に挿着される。切断面（あるいは破断面）２９が複合タイル２８ａの表面となる。このように、本発明の複合タイル２８ａを用いて乾式工法による垂直壁の形成がなされる。建造物の外壁面との係合は、外壁面に設けられた、特開２００２−４５４５に開示されているような係合用の金具と係合する係合部によりなされてもよい。建造物の外壁面に設けられた突条のありが、特開２００１−９０３１４に開示されているようなあり状金具であってもよい。
【００７５】
複合タイル２８ａが建造物の外壁面に着脱自在に挿着されることにより、挿着された複合タイル２８ａの部分的な交換が可能となる。複合タイル２８ａの表面に前述のセダムや苔のような植物が植生されている場合、植生されている植物が枯れた部分の複合タイル２８ａを交換して新たに植物を植生するか、予め植物が植生（育生）されている複合タイル２８ａに交換することが出来る。又、植生された植物が均一に生育するように、日当たり等を考慮して、装着する位置を定期的に相互交換して移動させることも出来る。
【００７６】
複合タイル２８ａは建造物の内壁面に挿着されてもよい。この複合タイル２８ａの表面に植物を植生して、内壁面の装飾効果を得ることが出来る。内壁面は頻繁な水遣りがしにくいので、植物がセダムであることが、水遣りを頻繁にしなくとも育成可能なので好ましい。あるいは、スナゴケ、ハイゴケ等の苔であることが背丈が低くかつ多孔質のセラミックス２５の表面での成長に適した植物であり好ましい。
【００７７】
図９、図１０、図１２に示す態様においては、筒状の焼物体２０や焼物体２０ａのかわりに、これらとほぼ同じ形状の成形された坏土が用いられてもよい。即ち、筒状の成形された坏土の中空部に、焼成により発泡する素地体２２を充填して、これらを同時に焼成して柱状の焼物体２４や柱状の焼物体２４ａとなしてもよい。
【００７８】
図９、図１０、図１２に示す態様においては、筒状の焼物体２０や焼物体２０ａは、素地を押し出し成形し、乾燥後素焼して得ることが出来る。又、成形された坏土は、その素焼する前の押し出し成形された素地である。
【００７９】
本発明の複合タイルの他の態様の一例を図１３に示す。図１３において複合タイル１００は、焼物体１１８の部分と、板状の多孔質のセラミックス体１１６の部分とが重畳されて成る。焼物体１１８は複合タイル１００の表面１０４に相当する面に長手方向の溝１０６が形成され、溝１０６に多孔質のセラミックス体１１６が充填された構造となっている。多孔質のセラミックス体１１６の露出面１０７も複合タイル１００の表面を構成している。
【００８０】
複合タイル１００の上面１１１には、複合タイル１００の短幅方向Ａ（以下短幅方向と称する）上方に突出し、複合タイル１００の長幅方向Ｂ（以下長幅方向と称する）に延出する凸条部１１０が形成され、複合タイル１００の裏面１０５には長幅方向に延出する懐溝１１２が形成されている。懐溝１１２の内面は底部上方の隅に更に係合溝１１５が長幅方向に形成されている。
【００８１】
複合タイル１００の下面１０９には、長幅方向に延出する係止溝１１４が形成されている。又、下面１０９には係止溝１１４より表面のがわに、導水用溝１３５が長幅方向に延出して形成されている。係止溝１１４の、裏面１０５寄りの側壁１１９と裏面１０５に挟さまれて位置し、係止溝１１４の形成により生じた凸条部１２０は下端部が長手方向に一律に削り取られたように欠落して凸条部１２０の下面１２２が下面１０９より上方に位置し、これにより、下面１２２には表面１０６寄りの側壁１２５と裏面１０５との間に段差１４０が形成され、段差１４０により、窪み空間１４２が下面１２２と裏面１０５との交差かど部に生じている。
【００８２】
このような構造の複合タイル１００は、例えば図９に示すような工程に準じて製造される。即ち、焼物体１１８の部分が対称に対称面を間に対向した形状の素焼筒状体の中空部に多孔質のセラミックス体１１６の前駆体を充填して焼成し、焼物体１１８の部分が対称に対向した筒状体の中空部に多孔質のセラミックス体が充填された構造物とし、この構造物を対称面で切断あるいは破断し、長手方向には所定の長さに切り分けて製造する。
【００８３】
図１４に複合タイル１００が建造物の外壁１２２に装着された態様を示す。複合タイル１００は、外壁１２２に貼合された係止用板１２４を介して外壁１２２に係止装着される。係止用板１２４は、基板１２６と、基板１２６の表面に長手方向を水平にして上下に配列して固定された複数の長尺の係止用受け部１３０から成る。係止用受け部１３０は、下部受け部材１２８と、その上方に配された上部受け部材１２９から成る。下部受け部材１２８は、一の平帯状板と他の平帯状板とが互いに面を直交させてそれぞれの自身の長手方向に沿った一縁部で互いに連接した形状の断面Ｌ字形の長尺部材から成り、一の平帯状板の面が基板１２６の面と平行に配され、他の平帯状板の長手方向に沿った他の縁部が基板１２６に固着している。下部受け部材１２８は、長尺板が自身の長手方向に沿った折り目で断面くの字形に折られた形状の他の長尺部材から成り、面を基板１２６の面と上方に斜向させて自身の長手方向に沿った縁部で基板１２６に固着している。
【００８４】
複合タイル１００は係止用受け部１３０に係着装着される。くわしくは、下部受け部材１２８が係止溝１１４（図１３）と係合し、上部受け部材１２９が係合溝１１５（図１３）と係合する。又、複合タイル１００は外壁１２２の壁面に沿って上下左右に面一に配され、隣接の上下の複合タイル１００は、上方の複合タイル１００の窪み空間１４２に下方の複合タイル１００の凸条部１１０が挿入されて組み合わされる。係止溝１１４と係合溝１１５とを含んで複合タイル１００を施工面に装着する係合部８２ｐ（図１３）が構成される。
【００８５】
下部受け部材１２８や、上部受け部材１２９の断面形状は係止溝１１４や係合溝１１５と係合するものであればＬ字形やくの字形に限定されない。
【００８６】
図１４に示す態様で複合タイル１００が外壁１２２に装着された本発明の壁面構造１５０は、断熱性に優れた多孔質のセラミックス体１１６の効果的な配置により、建造物の優れた外断熱構造を実現する。更に、多孔質のセラミックス体１１６が表面に露出しているために、前述の複合タイル５０、２８、２８ｓ等と同様に建造物外面への植物１３３の定着に適する。
【００８７】
更に、壁面構造１５０においては、上方の複合タイル１００に付着して湿潤させ飽和した雨水等の水が上方の複合タイル１００の表面１０４の下端から、直下の複合タイル１００の上面１１１の表面がわの部分に落下し、落下した部分から直下の複合タイル１００の表面１０４（図１３）の上端部に達し次いで直下の複合タイル１００の表面１０４（図１３）の上下方向全体に行き渡る。この水の行程が最上段の複合タイル１００から順次下方の複合タイル１００に実現されて、上下全ての複合タイル１００の表面に万弁なく水がゆきわたる。
【００８８】
加えて、複合タイル１００の表面１０４の下端達した水は、一部が下面１０９（図１３）の表面１０４がわの縁部から下面１０９に沿って裏面１０５（図１３）がわに向けて進行するが、導水用溝１３５に達すると、そこで進行が妨げられて直下の複合タイル１００の上面１１１に落下する。このように、導水用溝１３５は水が下面１０９に沿って複合タイル１００の裏面１０５に達することを妨げて、上段の複合タイル１００からその下段の複合タイル１００の表面に効率よく水を導入することに寄与する。
【００８９】
又、複合タイル１００をはじめ、複合タイル５０、２８、２８ｓ等が外壁に装着された壁面構造は、外断熱や植物による装飾効果に加えて、降雨時に多孔質のセラミックス体１１６に吸収された水分が晴天時に蒸散し、この気化熱により壁が冷却されるという冷房効果がある。
【００９０】
本発明の壁面構造の他の一例を図１５に示す。図１５の給水手段付き壁面構造１５０ａにおいては、図１４と同様の配置で係止用板１２４を介して外壁１２２に係止装着された複合タイル列の最上段の複合タイル１００ａの更に直上部に給水手段１６０が配置される。
【００９１】
給水手段１６０は囲み具１６２と、囲み具１６２に包絡されて係止用板１２４に沿って水平に配置される給水管１６５とから成る。囲み具１６２は、複合タイル１００の焼物体１１８の部分と同様の形状をなす受けタイル１６４と、受けタイル１６４を覆う蓋タイル１６８とから成る。両者とも焼き物から成る。受けタイル１６４は、複合タイル１００と同様の態様で係止部８２ｑを介して係止用板１２４に係着され、受けタイル１６４の窪み空間１４２に複合タイル１００ａの凸条部１１０が挿入されて組み合わされる。
【００９２】
蓋タイル１６８は、複合タイル１００と同様にして係止用板１２４に係着される係着部１７０と、受けタイル１６４を覆う、係着部１７０に連接した蓋部１７２とから成る。係着部１７０は輪郭が複合タイル１００とほぼ同じである。蓋部１７２は断面コの字形の長尺部材から成り、給水管１６５を覆い、蓋部１７２の内側面１７８と受けタイル１６４の溝１０６の内面１８０とに囲まれて形成された長尺空間部１７４に給水管１６５が収まる。
【００９３】
給水管１６５には、長手方向に沿った不図示の孔列が形成され、給水管１６５に供給された水がその孔列から排出され、長尺空間部１７４を経由して最上段の複合タイル１００ａを経て更に下方の複合タイル１００に供給される。
【００９４】
給水手段付き壁面構造１５０ａにおいては、植生された植物１３３への給水や、複合タイル１００の前述の蒸散効果による壁面冷却のための給水が、雨水を頼らずに積極的に、しかも人手を要せずになされる。更に、本発明の給水手段付き壁面構造１５０ａは、植生された植物１３３への給水が自動化されるという効果のみならず、壁面に植物を植生しない場合であっても、給水管１６５から水を多数の複合タイル１００の多孔質のセラミックス体１１６に供給し、その多数の多孔質のセラミックス体１１６に万遍なく水分を吸収させることにより、その吸収された水分が晴天時に蒸散し、この気化熱により壁が冷却されて建屋の室温を下げて冷房の負荷を減少させる効果がある。
【００９５】
又、給水管１６５が複合タイルと同質の素材で形成されたカバーで覆われるので、外壁外観とマッチし、外観を損なうことがない。更に、このカバーは特別の配設工事を伴うことなく複合タイル用の係止用板１２４を利用して取り付けることが出来るので設置コストが極めて小さい。
【００９６】
壁面構造１５０や給水手段付き壁面構造１５０ａにおいても、多孔質のセラミックス体１１６の露出面１０７にセダム類、つゆくさ類、いわだれ草類又は苔類のような植物１３３が植生（育生）される。あるいは、蔦類のようなつる性の植物がはわせて育生することが出来る。植物１３３は、外壁の美観を向上させるとともに、直射日光を遮り、かつ自身の水分蒸散により、建屋の冷房エネルギ負荷の低減に寄与する。
【００９７】
なお、多孔質のセラミックス体には、マグネシュウム酸化物、カルシュウム酸化物等のアルカリ性の成分が１〜１０重量％含有されることが好ましい。これにより、多孔質セラミックスはアルカリ性となり、セダム類、つゆくさ類の育成に適した多孔質のセラミックス体が得られる。このためには、タイル素地の焼成に際して、焼成前の素地体や複合素地体を構成する坏土にマグネシュウム酸化物、カルシュウム酸化物等のアルカリ性の成分を１〜１０重量％含有させておくことが好ましい。
【００９８】
多孔質のセラミックス体１１６は、保水性を有するとともに、ゴミ状の有機物を孔内に保持するので植生された植物への水分補給とともに養分の補給もなされ好ましい。又、根が孔によるマトリクス構造に保持されるので、強風等の外力で植物がセラミックス体１１６から剥離しにくい。更に、つる性の植物をはわせたときには、このマトリクス構造が植物にとって強固な足場となり、確実に植物をはわせることが出来る。
【００９９】
多孔質のセラミックス体１１６の多孔には、予め、あるいは定期的に液肥等の肥料や土を含浸やふりかけや押し込みにより含有させることが出来る。これにより、植物の育成が更に促進される。
【０１００】
又、壁面構造１５０や給水手段付き壁面構造１５０ａにおいても、複合タイル１００は容易に着脱自在であり、好みの色調のものに時期をみて交換したり、植生された植物のいたみがはげしい複合タイルや、日当たり等の加減で成長度に差がある部分の複合タイルを交換したり入れ替えたりすることが出来る。汚れた複合タイルを外して掃除し、再装着することも容易である。又、外壁に装着する前に予め植物を植付け定着させてから、外壁に装着することが容易に出来る。
【０１０１】
なお、従来、外壁に植物を植生させる方式として図１６に示すように外壁２００に直接棕櫚製等の繊維マット２０２を植生床として縦横に配列して接着剤により貼りつけることが行なわれた。繊維マット２０２の横列の上端に多孔のパイプ２０４が水平に配されて繊維マット２０２への給水が行なわれる。この方式では、繊維マット２０２が汚れたり、植物が枯れたりしたときの交換が容易でない。又、パイプ２０４がむきだしであり外壁の美観を損なう。パイプ２０４にカバーをかけるには複雑な工事を要する。
【０１０２】
又、従来、断熱性を向上させたタイルとしては、図１７に示すような多孔質のセラミックス体２１６が焼き物２１８によって完全に覆われたいわゆる饅頭構造タイプのタイル２２０があるが、このタイプのものは、多孔質のセラミックス体２１６の面が露出していないので、本発明の複合タイルのような吸水効果や水分の蒸散効果はもとより期待できない。
【０１０３】
本発明の更に他の態様においては、複合セラミックス構造体を用いた図１８に示す植生用基盤２２０が挙げられる。植生用基盤２２１は、上面に溝状あるいは凹陥部状の欠損部２２２が形成された焼き物板２２３と、欠損部２２２に嵌合されたあるいは欠損部２２２の内壁に連接した多孔質のセラミックス体２２４とから構成され、全体として厚板形状をなしている。
【０１０４】
植生用基盤２２０の上面は、縁部の少なくとも一部を除いて多孔質のセラミックス体２１６の面が露出して、多孔質のセラミックス体露出面２２５となっている。多孔質のセラミックス体露出面２２５にはセダム類、つゆくさ類、いわだれ草類又は苔類のような植物２２８が植生される。多孔質のセラミックス体２２４の保水性と根付きの容易さと良好な根の保持性により、本発明の植生用基盤２２１はこれらの植物の定着と育成に極めて好適である。
【０１０５】
植生用基盤２２１に予め植物２２８を植生して植物セラミックス体複合物２３０となし、その植物セラミックス体複合物２３０を設置場所に運んで面状に敷設することにより、設置された面が植物で覆われた面となる。
【０１０６】
植物セラミックス体複合物２３０は複数をビルの屋上の床に敷詰めることにより、屋上緑化と、建屋冷房負荷の軽減に寄与する。この敷詰めの作業は手間もかからず操作も容易である。又、敷詰めの配置換えも容易である。又、敷詰められた植物セラミックス体複合物のうちの一部が枯れたり汚れたりしても、その部分の植物セラミックス体複合物を容易に交換することが出来る。
【０１０７】
又、植物セラミックス体複合物２３０は公園等屋外グランドに敷詰めることにより、屋外グランド緑化と、ヒートアイランド現象の低減に寄与する。この敷詰めの作業は手間もかからず操作も容易である。又、敷詰めの配置換えも容易である。又、敷詰められた植物セラミックス体複合物のうちの一部が枯れたり汚れたりしても、その部分の植物セラミックス体複合物を容易に交換することが出来る。
【０１０８】
［実施例］
［実施例１］
粘土を図３に示す形状の植木鉢形に成形し、７００℃で素焼を行なって素焼の植木鉢を得た。この素焼の植木鉢の外のりは縦、横、高さそれぞれ６０ｃｍであった。内のりは縦、横、高さそれぞれ５５ｃｍであった。一方、粘土にＳｉＣを混合して、坏土を得た。ＳｉＣの混合率は、粘土の乾燥重量に対して５重量％であった。この坏土を素焼の植木鉢に充填した。坏土は素焼の植木鉢の上縁から５ｃｍの高さまで上面をほぼ平らにして充填した。坏土を充填した素焼の植木鉢を１０００℃２４時間で焼成して多孔質のセラミックス体が充填された複合植木鉢を得た。この複合植木鉢を１０階建てのビルの屋上に多数個敷詰めて、それぞれに植木を植生した。この結果、ビルの空調エネルギ費を削減できた。又、１年以上経過しても、設置周辺は土で汚れることがなくクリーンな環境が保たれた。水は雨水でまかなうことができ、維持管理の手間はほとんどかからなかった。
【０１０９】
［実施例２］
粘土にフェノール樹脂のビーズ（平均径１００μｍ）を１０容量％混合して充填用の坏土として用いたほかは実施例１と同様にして多孔質のセラミックス体が充填された複合植木鉢を得た。この複合植木鉢を１０階建てのビルの屋上に多数個敷詰めて、それぞれに植木を植生した。この結果、ビルの空調エネルギ費を削減できた。又、１年以上経過しても、設置周辺は土で汚れることがなくクリーンな環境が保たれた。水は雨水でまかなうことができ、維持管理の手間はほとんどかからなかった。
【０１１０】
［実施例３］
ウレタンフォームを焼失性多孔質体として用い、粘土から成る坏土を泥漿化してこのウレタンフォームに含浸させて坏土とウレタンフォームとの複合素地体を得た。泥漿の付着量は例えば１ｃｍ×１ｃｍ×１ｃｍのウレタンフォームに対して０．３ｇであった。ウレタンフォームの形状は実施例１で得られた植木鉢中の多孔質のセラミックス体の外形状と同じものである。複合素地体を実施例１で用いたものと同様の素焼の植木鉢にはめこんで、両者を実施例１と同様にして焼成して複合植木鉢を得た。この複合植木鉢を１０階建てのビルの屋上に多数個敷詰めて、それぞれにセダムを植生した。この結果、ビルの空調エネルギ費を削減できた。又、１年以上経過しても、設置周辺は土で汚れることがなくクリーンな環境が保たれた。水は雨水でまかなうことができ、維持管理の手間はほとんどかからなかった。
【０１１１】
［実施例４］
気孔率５０％の硬質ウレタン樹脂を３０ｃｍ角のブロック状に切り出し多孔質体を得た。この多孔質体を上面としてい１面を残し、他の５面に通常の油性のペンキを塗布して厚さ約０．５ｍｍの塗膜を形成し複合植木鉢を得た。この複合植木鉢を１０階建てのビルの屋上に多数個敷詰めて、それぞれにセダムを植生した。この結果、ビルの空調エネルギ費を削減できた。又、１年以上経過しても、設置周辺は土で汚れることがなくクリーンな環境が保たれた。水は雨水でまかなうことができ、維持管理の手間はほとんどかからなかった。
【０１１２】
［実施例５］
早強セメント１００重量部、芙蓉パーライト（株）社製の商品名、フヨーライト２５重量部、（株）サンライト（株）社製の商品名、Ｇライト２５重量部、減水剤として日本油脂（株）社製の商品名、マリアリムを５重量部、気泡剤として（株）セルフォーム技術研究所社製の商品名、セルフォームＬ−５０を２重量部、を混合してスラリーを作り、気泡発生装置（（株）セルフォーム技術研究所社製の商品名、セルエース）により気泡入りスラリーを得た。この気泡入りスラリーを、植木鉢に注入して硬化させ複合植木鉢を得た。硬化させた多孔質コンクリートの比重は０．７５であった。この植木鉢は、実施例１で用いられた素焼の植木鉢を１０００℃、２５Ｈｒで焼成して得た。
【０１１３】
［実施例６］
粘土を図８に示すような板状の焼物体１８ｇと同様の形状に成形し、素焼して板状の素焼体を得た。素焼体の厚さは４ｍｍ、平面形状は一辺５ｃｍの正方形である。素焼体の裏面には溝５５を設けた。一方、粘土にＳｉＣを混合して、坏土を得た。ＳｉＣの混合率は、粘土の乾燥重量に対して４重量％であった。この坏土を図８に示すような板状の多孔質のセラミックス体１６ｇと同様の形状に成形し板状の素焼体の表面に重畳した。この重畳体を１１００℃２４時間で焼成して多孔質のセラミックス体が重畳された複合タイルを得た。
【０１１４】
［実施例７］
信楽産の粘土素地を用いて、図１２に示す形状の筒状の焼物体２０と同形状の成形素地を押し出し成形により作った。この成形素地の長手方向と直交の幅は４×６ｃｍであった。筒壁の厚さは５ｍｍであった。この成形素地の中空部に焼成により発泡する坏土を挿入した。この坏土は、信楽産の粘土素地に、その乾燥重量に対してＳｉＣが１０重量％混合されたものである。この坏土は、成形素地の中空部の容積に対して３０容積％が挿入された。ついでこの坏土が挿入された成形素地を１１００℃２４Ｈｒで焼成して柱状の焼物体２４ａを得た。柱状の焼物体２４ａを長手方向と平行な面に沿って切断により２等分し、長さ２５ｃｍｍに切り分けて複合タイル２８ａを得た。発泡後の多孔質セラミックス２５は、切断後の焼物体２０ａとその境界面ですみずみまで密着状態で焼結により結合し、良好な結合状態が得られた。複合タイル２８ａは、あり溝５６を建造物の外壁に備えられた突条のありを係合され、これにより、多孔質セラミックス２５の面（切断面２９）を外面に露出させた建造物の外壁面が得られた。この外壁面は植生されたセダムの良好な足場となった。又、この複合タイル２８ａを備えた建造物の壁は断熱性にすぐれていた。
【０１１５】
以上本発明の複合セラミックス構造体及びそのその製造方法、その複合セラミックス構造体から成る複合植木鉢、複合タイルの態様を説明したが、本発明はその趣旨を逸脱しない範囲で、当業者の知識に基づき種々の改良、修正、変形を加えた態様で実施し得るものであり、これらの態様はいずれも本発明の範囲に属するものである。
【図面の簡単な説明】
【０１１６】
【図１】本発明の複合セラミックス構造体の製造に用いる複合前駆体の構成を示す断面説明図である。
【図２】本発明の複合セラミックス構造体の構成を示す断面説明図である。
【図３】本発明の複合植木鉢の構成の一例を示す断面説明図である。
【図４】本発明の複合植木鉢に苗を植え付ける操作の一例を説明する説明図であり図４（ａ）と図４（ｂ）とでは苗の種類が異なる。
【図５】本発明の複合植木鉢の他の態様の一例を説明する説明図である。
【図６】本発明の複合植木鉢の更に他の態様の一例を説明する説明図である。
【図７】本発明の複合植木鉢を建造物の屋上にならべた配置を示す上面説明図である。
【図８】本発明の複合タイルの構成の一例を示す断面説明図である。
【図９】本発明の他の態様の複合タイル及びその製造の過程を説明する断面模式図である。
【図１０】本発明の更に他の態様の複合タイル及びその製造の過程を説明する断面模式図である。
【図１１】図１０に示す本発明の複合タイルが施工壁面に装着された状態を示す断面模式図である。
【図１２】本発明の又更に他の態様の複合タイル及びその製造の過程を説明する断面模式図である。
【図１３】本発明の複合タイルの他の態様の一例を示す斜視模式図である。
【図１４】本発明の複合タイルが建造物の外壁に装着された本発明の壁面構造の態様を示す断面模式図である。
【図１５】本発明の壁面構造の他の一例を示す断面模式図である。
【図１６】従来の壁面構造を示す断面模式図である。
【図１７】従来の断熱タイルの構造を示す断面模式図である。
【図１８】本発明の複合セラミックス構造体を用いた本発明の植生用基盤の構造を示し、図１８（ａ）は斜視模式図、図１８（ｂ）は断面模式図である。
【符号の説明】
【０１１７】
２：素焼体
４，４ａ，２２：素地体
６：添接面
１０，１０ａ，１０ｂ：複合前駆体
１２，１２ａ，１２ｂ，３３，３３ｓ：複合セラミックス構造体
１６，１６ａ，１６ｂ，１６ｄ，１６ｇ：多孔質のセラミックス体
１７：境界
１８，１８ｇ，２０：焼物体
３０、３０ａ、３０ｂ：複合植木鉢
３２：鉢状の焼物体
３４：境界面
２８，２８ａ，２８ｓ，５０：複合タイル
５６：あり溝
【図１】
2005001976.tif 000003
【図２】
2005001976.tif 000004
【図３】
2005001976.tif 000005
【図４】
2005001976.tif 000006
【図５】
2005001976.tif 000007
【図６】
2005001976.tif 000008
【図７】
2005001976.tif 000009
【図８】
2005001976.tif 000010
【図９】
2005001976.tif 000011
【図１０】
2005001976.tif 000012
【図１１】
2005001976.tif 000013
【図１２】
2005001976.tif 000014
【図１３】
2005001976.tif 000015
【図１４】
2005001976.tif 000016
【図１５】
2005001976.tif 000017
【図１６】
2005001976.tif 000018
【図１７】
2005001976.tif 000019
【図１８】
2005001976.tif 000020